(57)【要約】【課題】  長方形の表示領域を有する表示装置を、表示領域の長手方向を横方向にして、表示装置を遊技機に配置する場合、及び、表示領域の長手方向を縦方向にして、表示装置を遊技機に配置する場合の双方に対応可能とする遊技機を提供する。【解決手段】  遊技機は、遊技盤が正面から見て前面側から取り付けられる本体部と、前記遊技盤の裏面側に配置され、長方形の表示領域を備える表示装置とを有し、前記本体部には、前記表示領域の長手方向を横方向にした場合の表示領域以上の大きさであって、前記長手方向を縦方向にした表示領域以上の大きさの領域を有する開口部が設けられ、前記本体部の裏面側であって、正面から見て前記表示領域が前記開口部から臨む位置に、前記表示装置を支持し、前記本体部に着脱可能に取り付けられる支持部を有する。【選択図】       図２
2005270138.tif 000002
【特許請求の範囲】
【請求項１】
遊技部材と、少なくとも一部が透明な部材で形成された遊技盤ベースとを備える遊技盤と、前記遊技盤が正面から見て前面側から取り付けられる本体部と、前記遊技盤の裏面側に配置され、長方形の表示領域を備える表示装置とを有し、
前記本体部には、前記表示領域の長手方向を横方向にした場合の表示領域以上の大きさであって、前記長手方向を縦方向にした表示領域以上の大きさの領域を有する開口部が設けられ、
前記本体部の裏面側であって、正面から見て前記表示領域が前記開口部から臨む位置に、前記表示装置を支持し、前記本体部に着脱可能に取り付けられる支持部を有することを特徴とする遊技機。  
【請求項２】
前記支持部は、当該支持部の少なくとも一部が、正面から見て、前記開口部の領域のうち、前記表示領域と重ならない領域と重なるよう、前記本体部に取り付けられることを特徴とする請求項１に記載の遊技機。
【請求項３】
前記支持部は、前記表示領域と重ならない領域より大きいことを特徴とする請求項２に記載の遊技機。
【請求項４】
前記本体部の裏面側に、遊技機を構成する部材である裏ユニット部を有し、
前記支持部には、前記裏ユニット部を取り付けるための取り付け部が設けられていることを特徴とする請求項１乃至３のうち、いずれか１つの請求項に記載の遊技機。
【発明の詳細な説明】
【技術分野】
【０００１】
本発明は、パチンコ遊技機等の遊技機に関する。
【背景技術】
【０００２】
従来の弾球遊技機などの遊技機においては、透明な部材で形成された遊技盤ベース上に、各種の遊技部材（例えば、普通図柄作動ゲート、特別図柄始動口、大入賞口、一般入賞口、ステージ、風車、釘など）が設けられた遊技盤が備えられている。この遊技盤の裏面には、特別図柄の変動表示や各種のリーチ演出を行うための、長方形状の表示領域を有する液晶表示装置が設けられている（例えば、特許文献１参照）。この従来技術では、表示領域の長手方向を横方向にして、液晶表示装置が遊技機に配置されている。
【特許文献１】特開平１１−７６５１７号公報
【発明の開示】
【発明が解決しようとする課題】
【０００３】
しかしながら、上述した従来技術では、以下のような問題があった。液晶表示装置の機種変更により、表示領域の長手方向を横方向にして、液晶表示装置を遊技機に配置されるだけでなく、表示領域の長手方向を縦方向にして、液晶表示装置を遊技機に配置されることが要求されることがある。
【０００４】
このような場合、従来の遊技機では、表示領域の長手方向を横方向にして、液晶表示装置を遊技機に配置されるように構成されているので、表示領域の長手方向を縦方向にして、液晶表示装置を遊技機に配置する場合、遊技機自体を新たに設計し直す必要があり、遊技機の構成を大幅に変更しなければならないという問題があった。
【０００５】
本発明は、以上のような問題点に鑑みてなされたものであり、長方形の表示領域を有する表示装置を、表示領域の長手方向を横方向にして、表示装置を遊技機に配置する場合、及び、表示領域の長手方向を縦方向にして、表示装置を遊技機に配置する場合の双方に対応可能とする遊技機を提供することを目的とする。
【課題を解決するための手段】
【０００６】
以上の問題点を解決するために、本発明の遊技機は、遊技部材と、少なくとも一部が透明な部材で形成された遊技盤ベースとを備える遊技盤（例えば、遊技盤３０）と、前記遊技盤が正面から見て前面側から取り付けられる本体部（例えば、ベースドア６０）と、前記遊技盤の裏面側に配置され、長方形の表示領域（例えば、表示領域７０ａ）を備える表示装置（例えば、液晶表示装置７０）を有し、前記本体部には、前記表示領域の長手方向を横方向にした場合の表示領域以上の大きさであって、前記長手方向を縦方向にした場合の表示領域以上の大きさの領域を有する開口部（例えば、開口部６０ｅ）が設けられ、前記本体部の裏面側であって、正面から見て前記表示領域が前記開口部から臨む位置に、前記表示装置を支持し、前記本体部に着脱可能に取り付けられる支持部（例えば、横方向用支持部１１０，第１の縦方向用支持部１２０、第２の縦方向用支持部１２１）を有することを特徴とするものである。
【０００７】
本発明によれば、本体部の開口部は、正面から見て前記表示領域の長手方向を横方向にした場合の表示領域（例えば、図６に示す配置の表示領域）以上の大きさの領域を有するので、表示領域の長手方向を横にして、表示装置を本体部の開口部の裏面側に配置する場合、例えば、正面から見て表示領域の全てを開口部と重ならせることができる。そして、支持部は、前記本体部の裏面側であって、正面から見て前記表示領域が前記開口部から臨む位置に、前記表示装置を支持するので、表示領域の長手方向を横方向にして、表示装置が遊技機に配置された場合、遊技者は、透明な部材で構成された遊技盤を介して、表示装置の表示領域の全領域を視認することが可能となる。
【０００８】
また、本体部の開口部は、正面から見て前記表示領域の長手方向を縦方向にした場合の表示領域（例えば、図４に示す配置の表示領域）以上の大きさの領域を有するので、表示領域の長手方向を縦にして、表示装置を本体部の開口部の裏面側に配置する場合、例えば、正面から見て表示領域の全てを開口部と重ならせることができる。そして、支持部は、前記本体部の裏面側であって、正面から見て前記表示領域が前記開口部から臨む位置に、前記表示装置を支持するので、表示領域の長手方向を縦方向にして、表示装置が遊技機に配置された場合、遊技者は、透明な部材で構成された遊技盤を介して、表示装置の表示領域の全領域を視認することが可能となる。
【０００９】
そして、支持部は、本体部の裏面側から本体部に着脱可能に取り付けられるので、表示領域の長手方向を横方向にして、表示装置を遊技機に配置する場合には、表示領域の長手方向を縦方向にして表示装置を遊技機に配置するための縦方向用の支持部（例えば、第１の縦方向用支持部１２０、第２の縦方向用支持部１２１）を取りはずして、横方向用の支持部（表示領域の長手方向を横方向にして表示装置を遊技機に配置するための横方向用の支持部、例えば、横方向用支持部１１０）を取り付けることができ、表示領域の長手方向を縦方向にして、表示装置を遊技機に配置する場合には、横方向用の支持部を取り外して、縦方向用の支持部を取り付けることができる。
【００１０】
この結果、本発明によれば、長方形の表示領域を有する表示装置を、表示領域の長手方向を横方向にして、表示装置を遊技機に配置する場合、及び、表示領域の長手方向を縦方向にして、表示装置を遊技機に配置する場合の双方に対応可能とすることができる。
【００１１】
また、上記発明において、前記支持部は、当該支持部の少なくとも一部（例えば、横方向用支持上部１１０ｆ、横方向用支持下部１１０ｇ、第２の縦方向用支持部１２１）が、正面から見て、前記開口部の領域のうち、前記表示領域と重ならない領域と重なるよう、前記本体部に取り付けられることが好ましい。この場合には、支持部の少なくとも一部は、開口部の領域のうち、表示領域と重ならない領域と重なるように、本体部に支持部が取り付けられるので、遊技者は、開口部を介して、遊技機の内部構造などを視認できてしまう事態が回避され、遊技者が遊技機の外観が美しくないと感じる事態を回避できる。
【００１２】
また、上記発明において、前記支持部（例えば、第２の縦方向用支持部１２１）は、前記表示領域と重ならない領域（例えば、後述の第３領域）より大きいことが好ましい。この場合、支持部は、上記重ならない領域より大きいので、表示領域と重ならない開口部の存在による本体部の機械的強度の低下を補強することになり、本体部の機械的強度が低下してしまう事態を回避できる。
【００１３】
また、上記発明において、前記本体部の裏面側に、遊技機を構成する部材である裏ユニット部（例えば、第１ユニット部９０、第２ユニット部１００）を有し、前記支持部には、前記裏ユニット部を取り付けるための取り付け部（例えば、ヒンジ凹部１１２ａ，１１３ａ）が設けられていることが好ましい。この場合には、裏ユニット部を本体部に取り付けるための取り付け部材を別途新たに設ける必要がなくなり、遊技機の構造の簡略化が図れる。
【発明の効果】
【００１４】
本発明によれば、長方形の表示領域を有する表示装置を、表示領域の長手方向を横方向にして、表示装置を遊技機に配置する場合、及び、表示領域の長手方向を縦方向にして、表示装置を遊技機に配置する場合の双方に対応可能とすることができる。
【発明を実施するための最良の形態】
【００１５】
本実施形態における弾球遊技機１（以下、遊技機という）の構成について、図面を参照しながら説明する。図１は、本実施形態における遊技機１の全体を示す斜視図であり、図２は、上記遊技機１を構成する各部を分解した様子を示す分解説明図である。図３は、正面から見た場合の遊技盤３０の外観図である。
【００１６】
図２に示すように、遊技機１は、ガラス枠１０と、皿部２０と、発射ユニット４０と、遊技盤３０と、ベースドア６０と、液晶表示装置７０と、遊技場に設けられる遊技島に固定するための外枠８０と、第１ユニット部９０と、第２ユニット部１００とを有する。
【００１７】
ガラス枠１０は、ベースドア６０に対して、開閉自在に軸着されている。具体的には、以下の通りである。図２に示すように、ベースドア６０の前面の左上部及び左下部には、ヒンジ凹部６０ｆ（凹みの様子は図示せず）が設けられており、前面の左中部には、ヒンジ凸部６０ｇ（凸の様子は図示せず）が設けられている。また、ガラス枠１０の裏面の左上部には、ヒンジ凸部（図示せず）が設けられており、裏面の左下部には、ヒンジ凹部（図示せず）が設けられている。そして、ベースドア６０の前面の左上部に設けられたヒンジ凹部６０ｆに、ガラス枠１０に設けられたヒンジ凸部が嵌め込まれるとともに、ヒンジ凸部６０ｇが、ガラス枠１０に設けられたヒンジ凹部に嵌め込まれることにより、ベースドア６０に対して、ガラス枠１０が開閉可能に取り付けられる。このガラス枠１０には、遊技盤３０の前面を覆うための前面ガラス１１がはめ込まれている。
【００１８】
皿部２０は、図２に示すように、ガラス枠１０の下方に位置するように、ベースドア６０に配設されている。具体的には、以下の通りである。ベースドア６０の前面の左下部に設けられたヒンジ凹部６０ｆに、皿部２０の裏面に設けられたヒンジ凸部（図示せず）が嵌め込まれることにより、ベースドア６０に対して、皿部２０が開閉可能に取り付けられる。
【００１９】
発射ユニット４０は、図１に示すように、皿部２０の側方に位置するように、ベースドア６０に配設されている。この発射ユニット４０には、図２に示すように、遊技者により操作可能な発射ハンドル４０ａが配設されている。発射ハンドル４０ａは、回動自在に設けられており、遊技者によって発射ハンドル４０ａが操作されることにより、遊技球が遊技盤３０上の遊技領域に投入される。なお、この発射ユニット４０に設けられた係止片（図示せず）が、ベースドア６０の右下方に設けられた係止穴に、係止されることにより、発射ユニット４０がベースドア６０に取り付けられる。
【００２０】
遊技盤３０は、図２に示すように、前面ガラス１１の後方に位置するように、ベースドア６０の前方に配設されている。遊技盤３０は、遊技部材と、少なくとも一部が透明な部材で形成された遊技盤ベース３２とを備えている。遊技盤３０は、その前面に、発射された遊技球が転動可能な遊技領域３３を有する。この遊技領域３３は、ガイドレール３４に囲まれ、遊技球が転動可能な領域である。具体的には、遊技盤３０がベースドア６０の前面に取り付けられた状態では、遊技盤３０の遊技領域３３は、正面側から見て、ベースドア６０の開口部６０ｅと重なる位置に配置される。
【００２１】
また、遊技盤３０を構成する遊技盤ベース３２の少なくとも一部は、液晶表示装置７０の表示領域７０ａを正面側から見て視認可能な透明な部材で形成されている。この透明部材は、無色透明のアクリル樹脂材、ボリカーボネート樹脂又はポリアリレート樹脂等の合成樹脂で形成することができる。本実施形態では、遊技盤ベース３２の全部が透明な部材で形成されているとする。但し、遊技盤ベース３２の一部が透明な部材で形成されている場合も本発明は同様に適用できる。
【００２２】
また、図３に示すように、遊技盤３０においては、遊技盤ベース３２上に、遊技部材として、第１遊技球誘導部材３、第２遊技球誘導部材４、一般入賞口５，始動口６と、アウト口７、大入賞口８が配設されている。
【００２３】
第１遊技球誘導部材３及び第２遊技球誘導部材４は、遊技球の流下方向を大きく変化させるものである。第１遊技球誘導部材３は、遊技球が流下可能な遊技領域の上方に位置するように配設され、遊技盤ベース３２の面に対して直角に立設された壁体から構成される。第２遊技球誘導部材４は、当該遊技領域の下方に位置するように配設され、遊技盤ベース３２の面に対して直角に立設された壁体から構成される。
【００２４】
一般入賞口５は、当該一般入賞口５に遊技球が入球すると所定数（例えば、１５個）の遊技球（賞球）が払い出されるように構成されており、遊技球の入球により遊技者に所定の利益（賞球の払い出し）を付与するためのものである。始動口６は、当該始動口６に遊技球が入球すると大当り判定用の乱数値及び大当り図柄決定用の乱数値などが抽出されるように構成されている。アウト口７は、始動口６や大入賞口８や一般入賞口５などのいずれにも入球しなかった遊技球を受け入れる。大入賞口８は、特定領域（いわゆるＶゾーン）と一般領域とを具備し、大当り判定用の乱数値に基づく大当り判定の結果に応じ、所定の設定に従って開閉するように制御される。
【００２５】
また、遊技盤３０の裏面には、スペーサ２１０が取り付けられている。このスペーサ２１０は、主に、遊技盤３０と液晶表示装置７０との間に配置される部品や配線などのためのスペースを確保するためのものである。なお、スペーサ２１０には、電飾用の部材や、遊技球の通路や、各種の中継基板などが取り付けられていても良い。
【００２６】
図３に示すように、遊技盤ベース３２の各所定位置には、係止孔３０ａ（係止部）が設けられている。この係止孔３０ａは、スペーサ２１０の所定位置に設けられた係止片（図示せず）が係止されるためのものである。スペーサ２１０に設けられた各係止片の位置と、遊技盤ベース３２に設けられた各係止孔３０ａの位置とがそれぞれ合わせられて、各係止片は、それぞれ、各係止孔３０ａに対して、取り外し可能に係合される。これにより、各係止片は、各係止孔３０ａに着脱可能に係止される。このようにして、スペーサ２１０は、遊技盤３０に対して、着脱可能に取り付けられる。また、スペーサ２１０には、正面側から見て表示領域７０ａを視認可能とするための貫通孔（図示せず）が設けられている。
【００２７】
ベースドア６０は、ガラス枠１０、遊技盤３０、皿部２０，発射ユニット４０が遊技機１の正面から見て、前面側から取り付けられる本体部である。ベースドア６０は、外枠８０に軸着されている。具体的には、以下の通りである。外枠８０の前面の左上部及び左下部には、ヒンジ凸部８０ａが設けられている。また、ベースドア６０の前面の左上部及び左下部には、ヒンジ凹部６０ｃが設けられている。そして、ヒンジ凹部６０ｃに、ヒンジ凸部８０ａが嵌め込まれることにより、外枠８０に対して、ベースドア６０が開閉可能に取り付けられる。また、図２に示すように、ベースドア６０の略中央には、開口部６０ｅが設けられている。この開口部６０ｅの詳細な説明は、後述する。
【００２８】
また、ベースドア６０には、４つの所定位置に、それぞれ、留め部材６１が設けられている。留め部材６１の機能の説明は、以下の通りである。図２に示すように、遊技盤ベース３２の４つの角部分には、孔部３１が設けられている。この留め部材６１においては、板部６１ａと、留め部材６１が遊技盤ベース３２の孔部３１に嵌め込まれたときに、回転操作により遊技盤ベース３２がベースドア６０から抜けない位置又は遊技盤ベース３２がベースドア６０から抜ける位置に、板部６１ａを配置させるための回転部６１ｂとが設けられている。これにより、遊技盤ベース３２の４つの孔部３１に、ベースドア６０に設けられた４つの留め部材６１を嵌め込み、回転部６１ｂを用いた回転操作により、遊技盤ベース３２がベースドア６０から抜けない位置に、板部６１ａを配置させることができる。また、回転部６１ｂを用いた回転操作により、遊技盤ベース３２がベースドア６０から抜ける位置に、板部６１ａを配置させることができ、遊技盤３０をベースドア６０から取り出すこともできる。
【００２９】
また、ベースドア６０の裏面には、液晶表示装置７０を支持する支持部が取り付けられる。図２では、一例として、ベースドア６０の裏面には、後述する第１の縦方向用支持部１２０、第２の縦方向用支持部１２１が取り付けられているが、後述する横方向用支持部１１０が取り付けられていても良い。第１の縦方向用支持部１２０、第２の縦方向用支持部１２１、横方向用支持部１１０の詳細な説明は、後述する。
【００３０】
また、ベースドア６０の裏面の下方には、表示領域７０ａの長手方向を縦方向にした場合における液晶表示装置７０の下方への移動を、表示領域７０ａが開口部６０ｅから臨む位置で規制する保持部６４（図２では図示せず、但し、後述の図１２などで示す）が設けられている。
【００３１】
また、図２に示すように、ベースドア６０の前面の上方には、スピーカ５０を嵌め込むことが可能な開口部６０ｄが設けられており、この開口部６０ｄに、スピーカ５０が嵌め込まれる。
【００３２】
液晶表示装置７０は、第１の縦方向用支持部１２０、第２の縦方向用支持部１２１又は横方向用支持部１１０を介して、ベースドア６０の裏面側（遊技盤３０の裏面側）に取り付けられる。液晶表示装置７０がベースドア６０に取り付けられる場合の詳細な説明は後述する。図２では、一例として、液晶表示装置７０が、第１の縦方向用支持部１２０、第２の縦方向用支持部１２１を介して、ベースドア６０の裏面側（遊技盤３０の裏面側）に取り付けられている。液晶表示装置７０は、所定の画像（例えば、演出画像など）を表示するための長方形の表示領域７０ａと、表示領域７０ａの周囲に配設された表示枠７０ｂとを有する。液晶表示装置７０の表示領域７０ａの詳細な説明は後述する。
【００３３】
第１ユニット部９０は、遊技球を貯留するための球貯留タンク、球貯留タンクに貯留された遊技球を遊技者に対して払い出す（貸球又は賞球として払い出す）払出装置、球貯留タンクから供給された遊技球を整列させて払出装置に送出する球整流路部、貸球や賞球などの遊技球の通路である遊技球通路などを有する。第１ユニット部９０は、ベースドア６０の裏面に取り付けられた第１の縦方向用支持部１２０又は横方向用支持部１１０に開閉自在に軸着されている。具体的な説明は、後述する。
【００３４】
また、第２ユニット部１００は、液晶表示装置７０に表示する図柄の表示制御を行う図柄制御基板、遊技盤３０の前面などに配設された各種ランプの点灯、点滅制御などを行うランプ制御基板、大当たり判定といった遊技処理全般を制御する主制御基板、貸球、賞球の払い出しに関する制御を行う払出基板、各基板の動作に必要な電源を供給する電源基板を有する。第２ユニット部１００は、ベースドア６０の裏面に取り付けられた第２の縦方向用支持部１２１又は横方向用支持部１１０に開閉自在に軸着されている。具体的な説明は、後述する。なお、第１ユニット部９０及び第２ユニット部１００は、ベースドア６０の裏面側に取り付けられる部材（遊技機を構成する部材）である裏ユニット部を構成する。
【００３５】
（液晶表示装置７０）
図４は、遊技機１の正面から見て、表示領域７０ａの長手方向を縦方向にした場合における液晶表示装置７０の配置態様を示す図であり、図５は、遊技機１の裏面から見て、表示領域７０ａの長手方向を縦方向にした場合における液晶表示装置７０の配置態様を示す図である。図６は、遊技機１の正面から見て、表示領域７０ａの長手方向を横方向にした場合における液晶表示装置７０の配置態様を示す図であり、図７は、遊技機１の裏面から見て、表示領域７０ａの長手方向を横方向にした場合における液晶表示装置７０の配置態様を示す図である。
【００３６】
図４乃至図６に示すように、液晶表示装置７０において、表示領域７０ａの形状は、長方形である。ここでは、表示領域７０ａの長手方向の長さをＹとし、表示領域７０ａの短手方向の長さをＸとする。また、図５，図７に示すように、表示領域７０ａの裏面には、ベースドア６０に液晶表示装置７０を取り付けるためのネジが挿入可能なネジ穴７０ｃが設けられている。
【００３７】
（ベースドア６０の開口部６０ｅ）
図８は、ベースドア６０を正面から見た場合の構成を示す図である。ベースドア６０において、既に説明した部材や部品の説明は、省略する。図８に示すように、ベースドア６０の略中央には、開口部６０ｅ（図８における太線部分の内部）が設けられている。開口部６０ｅは、図８に示すように、横方向における端辺ｘ１〜ｘ７と、縦方向における端辺ｙ１〜ｙ７とにより囲まれた領域である。そして、端辺ｙ１の上端と、端辺ｙ４の上端とは、縦方向における位置が略同じであり、端辺ｙ１の下端と、端辺ｙ４の下端とは、縦方向における位置が略同じである。そして、端辺ｙ１、端辺ｙ４の長さＢ１は、表示領域７０ａの短手方向の長さＸより長く、端辺ｙ１と端辺ｙ４との間の距離の長さＢ２は、表示領域７０ａの長手方向の長さＹより長くなっている。
【００３８】
これにより、端辺ｙ１と端辺ｙ４との間に挟まれる開口部６０ｅの領域（即ち、端辺ｙ１と、端辺ｙ４と、端辺ｘ３と、端辺ｘ５と、端辺ｘ１と、端辺ｘ３の左端と端辺ｘ５の右端とを結ぶ線と、端辺ｘ１の左端と端辺ｙ４の下端とを結ぶ線とに囲まれる領域）は、表示領域７０ａの長手方向を横方向にした場合における表示領域（図６参照）より、縦方向及び横方向において、大きいといえる。この結果、正面から見て、表示領域７０ａの長手方向を横方向にした場合における表示領域が、端辺ｙ１と端辺ｙ４との間に挟まれる開口部６０ｅの領域から臨む位置に、図６に示す配置の液晶表示装置７０を、ベースドア６０の裏面に配置させることが可能となる。
【００３９】
また、端辺ｘ４の右端と、端辺ｘ２の右端とは、横方向における位置が略同じである。端辺ｘ２より短い端辺ｘ４の長さＡ１は、表示領域７０ａの短手方向の長さＸより長く、端辺ｘ４と端辺ｘ２との間の距離の長さＡ２は、表示領域７０ａの長手方向の長さＹより長くなっている。
【００４０】
これにより、端辺ｘ４と端辺ｘ２との間に挟まれる開口部６０ｅの領域（即ち、端辺ｘ４、端辺ｙ３と、端辺ｙ７と、端辺ｙ２と、端辺ｙ３の下端と端辺ｙ２の上端とを結ぶ線と、端辺ｙ７の下端と端辺ｘ２とを結ぶ線と、端辺ｘ２とに囲まれる領域）は、表示領域７０ａの長手方向を縦方向にした場合における表示領域（図４参照）より、縦方向及び横方向において大きいといえる。この結果、正面から見て、表示領域７０ａの長手方向を縦方向にした場合における表示領域７０ａが、端辺ｘ４と端辺ｘ２との間に挟まれる開口部６０ｅの領域から臨む位置に、図４に示す配置の液晶表示装置７０を、ベースドア６０の裏面に配置させることが可能となる。
【００４１】
従って、ベースドア６０の開口部６０ｅは、表示領域７０ａの長手方向を横方向にした場合の表示領域７０ａ以上の大きさであって、長手方向を縦方向にした表示領域７０ａ以上の大きさの領域（図８に示す太線内の領域）を有するといえる。なお、本発明の開口部６０ｅは、上述の形状に限定されず、これ以外の形状であってもよい。
【００４２】
（横方向用支持部）
横方向用支持部１１０は、表示領域７０ａの長手方向を横方向にした場合における液晶表示装置７０をベースドア６０に取り付けるために用いられるものである。
【００４３】
図９は、正面斜めから見た場合の本実施形態の横方向用支持部１１０の構成を示す図であり、図１０は、裏面斜めから見た場合の本実施形態の横方向用支持部１１０の構成を示す図である。横方向用支持部１１０には、横方向用支持部１１０がベースドア６０に取り付けられた場合に、正面から見て表示領域７０ａと重ならない開口部６０ｅの領域（例えば、正面から見て表示領域７０ａ及び表示枠７０ｂと重ならない開口部６０ｅの領域）と重なる横方向用支持上部１１０ｆ及び横方向用支持下部１１０ｇと、液晶表示装置７０を収納するための収納孔１１１と、が設けられている。具体的には、液晶表示装置７０は、以下のようにして、収納孔１１１に収納される。図９、図１０に示すように、収納孔１１１の上側の側端面１１０ｂが、表示領域７０ａの長手方向を横方向にした場合の液晶表示装置７０の表示枠７０ｂの側面７０ｄ（図６参照）と接し、収納孔１１１の下側の側端面１１０ｂが、表示領域７０ａの長手方向を横方向にした場合の液晶表示装置７０の表示枠７０ｂの側面７０ｄと接し、液晶表示装置７０の裏面が、収納孔１１１の底面に接するように、収納される。この際、表示枠７０ｂの側面７０ｄの左右端部の位置と、収納孔１１１の側端面１１０ｂの左右端部の位置とが合わせられて、液晶表示装置７０は、収納孔１１１に収納される。なお、液晶表示装置７０は、図１０に示すように、Ｚ１方向から、収納孔１１１に収納される。図１１は、上述のようにして液晶表示装置７０が収納孔１１１に収納された場合における横方向用支持部１１０及び液晶表示装置７０の構成を示す図である。
【００４４】
また、横方向用支持部１１０は、ベースドア６０の裏面側であって、正面から見て表示領域７０ａが開口部６０ｅから臨む位置に、液晶表示装置７０を支持し、ベースドア６０に着脱可能に取り付けられる。具体的な説明は、以下の通りである。
【００４５】
収納孔１１１の底面には、液晶表示装置７０を横方向用支持部１１０に取り付けるためのネジを挿入可能な止め穴１１０ａが設けられている。液晶表示装置７０は、止め穴１１０ａとネジ穴７０ｃとが対向するように、収納孔１１１に収納され、止め穴１１０ａとネジ穴７０ｃとに挿入されたネジにより、横方向用支持部１１０に固定される。
【００４６】
また、横方向用支持上部１１０ｆには、横方向用支持上部１１０ｆをベースドア６０の裏面に取り付けるためのネジを挿入可能な止め穴１１０ｘが設けられている。横方向用支持下部１１０ｇには、横方向用支持下部１１０ｇをベースドア６０の裏面に取り付けるためのネジを挿入可能な止め穴１１０ｙが設けられている。
【００４７】
そして、液晶表示装置７０が収納された横方向用支持部１１０は、表示領域７０ａと開口部６０ｅとが向き合うとともに、正面から見て表示領域７０ａの長手方向を横方向にした場合の表示領域７０ａが開口部６０ｅから臨むことが可能な位置（例えば、正面から見て、開口部６０ｅの領域のうち、端辺ｙ１と端辺ｙ４との間に挟まれる領域と、表示領域７０ａの長手方向を横方向にした場合の表示領域７０ａとが重なる位置）に配置された状態で、止め穴１１０ｘ及びベースドアに設けられた止め穴（図示せず）とに挿入されたネジと、止め穴１１０ｙ及びベースドアに設けられた止め穴（図示せず）とに挿入されたネジとにより、ベースドア６０の裏面側からベースドア６０に固定される。
【００４８】
このようにして、液晶表示装置７０が収納され固定された横方向用支持部１１が、ベースドア６０の裏面側から、ベースドア６０に取り付けられた状態においては、横方向用支持部１１０は、ベースドア６０の裏面側であって、正面から見て表示領域７０ａが開口部６０ｅから臨む位置に、液晶表示装置７０を支持しているといえる。
【００４９】
また、作業者などが、止め穴１１０ｘ、１１０ｙ及びベースドアに設けられた止め穴（図示せず）とに挿入されたネジを取り出すことにより、液晶表示装置７０が収納された横方向用支持部１１０をベースドア６０から取り外すことができる。これにより、横方向用支持部１１０は、ベースドア６０に着脱可能に取り付けられるといえる。
【００５０】
また、図１０に示すように、横方向用支持部１１０の裏面の左側部（正面側から見て左側部）には、第１ユニット部９０を取り付けるためのヒンジ凹部１１３ａが設けられている。また、第１ユニット部９０の前面の左側部（正面から見て左側部）には、ヒンジ凸部（図示せず）が設けられている。そして、ヒンジ凹部１１３ａに、上記ヒンジ凸部が嵌め込まれることにより、横方向用支持部１１０に対して、第１ユニット部９０が開閉可能に取り付けられる。
【００５１】
また、図１０に示すように、横方向用支持部１１０の裏面の右側部（正面から見て右側部）には、第２ユニット部１００を取り付けるためのヒンジ凹部１１２ａが設けられている。また、第２ユニット部１００の前面の右側部（正面から見て右側部）には、ヒンジ凸部（図示せず）が設けられている。そして、ヒンジ凹部１１２ａに、上記ヒンジ凸部が嵌め込まれることにより、横方向用支持部１１０に対して、第２ユニット部１００が開閉可能に取り付けられる。
【００５２】
また、横方向用支持部１１０の裏面の左側部及び右側部には、各種の配線部材を支持するための支持部１１０ｄが設けられている。また、横方向用支持部１１０の裏面には、ベースドア６０の裏面に設けられた液晶表示のバックライト用のインバータ基板１１５への配線を、液晶表示装置７０に接続させるためのコネクタを配置した中継基板を固定する固定部１１４が設けられている。
【００５３】
図１２、図１３，図１４は、このようにして、液晶表示装置７０が収納孔１１１に収納された横方向用支持部１１０がベースドア６０に取り付けられた様子を示す図である。図１２は、遊技機１の裏面側から見た場合の図であり、図１３は、遊技機１の正面の上方斜めから見た場合の図であり、図１４は、遊技機１の正面の下方斜めから見た場合の図である。
【００５４】
横方向用支持部１１０は、横方向用支持部１１０の少なくとも一部が、正面から見て、開口部６０ｅの領域のうち、表示領域７０ａと重ならない領域と重なるよう、ベースドア６０に取り付けられる。この際、横方向用支持部１１０は、表示領域７０ａと重ならない領域より大きい。具体的な説明は、以下の通りである。
【００５５】
横方向用支持上部１１０ｆは、第１領域よりも大きく形成されている。第１領域とは、液晶表示装置７０が収納された横方向用支持部１１０がベースドア６０に取り付けられるときに、正面から見て、表示領域７０ａと重ならない開口部６０ｅの上側の領域（例えば、端辺ｙ３と，端辺ｘ４と、端辺ｙ７と、端辺ｙ３の下端と端辺ｙ７の下端とを結ぶ線とで囲まれる領域のうち、表示枠７０ｂと重ならない領域）のことである。
【００５６】
また、横方向用支持下部１１０ｇは、第２領域よりも大きく形成されている。第２領域とは、液晶表示装置７０が収納された横方向用支持部１１０がベースドア６０に取り付けられるときに、正面から見て、表示領域７０ａと重ならない開口部６０ｅの下側の領域（例えば、端辺ｙ２と、端辺ｘ２と、端辺ｙ６と、端辺ｘ７と、端辺ｙ５と、端辺ｘ６の右端と端辺ｙ２の上端とを結ぶ線とで囲まれる領域のうち、表示枠７０ｂと重ならない領域）のことである。
【００５７】
そして、液晶表示装置７０が収納された横方向用支持部１１０は、正面から見て、表示領域７０ａの長手方向を横方向にした場合の表示領域７０ａが開口部６０ｅから臨むことが可能な位置であって、かつ、横方向用支持上部１１０ｆ、横方向用支持下部１１０ｇがそれぞれ第１領域及び第２領域と重なる位置に配置された状態で、ベースドア６０の裏面側からベースドア６０に固定される。この固定状態では、正面から見て、横方向用支持上部１１０ｆ及び横方向用支持下部１１０ｇは、それぞれ、第１領域及び第２領域を取り囲むようにして重なっている。
【００５８】
この結果、横方向用支持部１１０は、横方向用支持上部１１０ｆが、正面から見て、開口部６０ｅの領域のうち、表示領域７０ａと重ならない領域（例えば、表示領域７０ａ及び表示枠７０ｂと重ならない領域）と重なるよう、ベースドア６０に取り付けられるといえる。また、横方向用支持部１１０は、横方向用支持下部１１０ｇが、正面から見て、開口部６０ｅの領域のうち、表示領域７０ａと重ならない領域（例えば、表示領域７０ａ及び表示枠７０ｂと重ならない領域）と重なるよう、ベースドア６０に取り付けられるといえる。
【００５９】
（縦方向用支持部）
図１５（ａ）は、正面斜めから見た第１の縦方向用支持部１２０の構成を示す図であり、図１５（ｂ）は、裏面斜めから見た第１の縦方向用支持部１２０の構成を示す図である。また、図１６（ａ）は、正面斜めから見た第２の縦方向用支持部１２１の構成を示す図であり、図１６（ｂ）は、裏面斜めから見た第２の縦方向用支持部１２１の構成を示す図である。
【００６０】
第１の縦方向用支持部１２０及び第２の縦方向用支持部１２１は、表示領域７０ａの長手方向を縦方向にした場合における液晶表示装置７０をベースドア６０に取り付けるために用いられるものである。第１の縦方向用支持部１２０は、遊技機１の正面から見て、ベースドア６０の開口部６０ｅの左側部に取り付けられ、第２の縦方向用支持部１２１は、ベースドア６０の開口部６０ｅの右側部に取り付けられる。
【００６１】
図１５に示すように、第１の縦方向用支持部１２０においては、正面から見て、右端部に、液晶表示装置７０の表示枠７０ｂの側面７０ｄをスライド可能に支持するレール部１２０ｂが設けられている。また、第１の縦方向用支持部１２０において、前面には、第１の縦方向用支持部１２０をベースドア６０に取り付けるためのネジを挿入可能な止め穴１２０ａが設けられている。また、第１の縦方向用支持部１２０の裏面においては、正面から見て、右端部に、第１ユニット部９０を取り付けるためのヒンジ凹部１２０ｃが設けられている。そして、ヒンジ凹部１２０ｃに、第１ユニット部９０に設けられたヒンジ凸部が嵌め込まれることにより、第１の縦方向用支持部１２０に対して、第１ユニット部９０が開閉可能に取り付けられる。
【００６２】
図１６に示すように、第２の縦方向用支持部１２１においては、正面から見て、左端部に、液晶表示装置７０の表示枠７０ｂの側面７０ｄをスライド可能に支持するレール部１２１ｂが設けられている。また、第２の縦方向用支持部１２１において、前面には、第２の縦方向用支持部１２１をベースドア６０に取り付けるためのネジを挿入可能な止め穴１２１ａが設けられている。また、第２の縦方向用支持部１２１の裏面においては、上部、中部、下部に、それぞれ、第２ユニット部１００を取り付けるためのヒンジ凹部１２１ｃが設けられている。そして、ヒンジ凹部１２１ｃに、第２ユニット部１００に設けられたヒンジ凸部が嵌め込まれることにより、第２の縦方向用支持部１２１に対して、第２ユニット部１００が開閉可能に取り付けられる。
【００６３】
また、第１の縦方向用支持部１２０及び第２の縦方向用支持部１２１は、ベースドア６０の裏面側であって、正面から見て表示領域７０ａが開口部６０ｅから臨む位置に、液晶表示装置７０を支持し、ベースドア６０に着脱可能に取り付けられる。具体的な説明は、以下の通りである。
【００６４】
ベースドア６０の裏面の右側部（裏面から見て右側部）には、第１の縦方向用支持部１２０を取り付けるためのネジを挿入可能な止め穴（縦用第１ベースドア止め穴という）が設けられている。また、ベースドア６０の裏面の左側部（裏面から見て左側部）には、第２の縦方向用支持部１２１を取り付けるためのネジを挿入可能な止め穴（縦用第２ベースドア止め穴という）が設けられている。
【００６５】
第１の縦方向用支持部１２０及び第２の縦方向用支持部１２１は、レール部１２０ｂとレール部１２１ｂとの間の距離が、液晶表示装置７０の短手方向の長さとなる位置（即ち、表示領域７０ａの長手方向を縦方向にした場合における液晶表示装置７０をレール部１２０ｂ、レール部１２１ｂに沿って上方から挿入可能な位置）に、ベースドア６０の裏面にネジにより取り付けられる。例えば、縦用第１ベースドア止め穴の位置と、止め穴１２０ａとの位置が合わせられ、縦用第１ベースドア止め穴と、止め穴１２０ａとに挿入されたネジにより、第１の縦方向用支持部１２０は、ベースドア６０の裏面に固定される。また、縦用第２ベースドア止め穴の位置と、止め穴１２１ａとの位置が合わせられ、縦用第２ベースドア止め穴と、止め穴１２１ａとに挿入されたネジにより、第２の縦方向用支持部１２１は、ベースドア６０の裏面に固定される。
【００６６】
図１７は、液晶表示装置７０が第１の縦方向用支持部１２０及び第２の縦方向用支持部１２１を介して、ベースドア６０に取り付けられている様子を示す図である。図１７に示すように、表示枠７０ｂの側面７０ｄが、レール部１２０ｂ、レール部１２１ｂに沿うようにして、液晶表示装置７０が、レール部１２０ｂ、レール部１２１ｂに沿って上方（縦方向の上方）から挿入され、保持部６４によって、表示領域７０ａが開口部６０ｅから臨む位置で保持される。この保持状態においては、正面から見て、表示領域７０ａは、開口部６０ｅから臨む位置に配置される。従って、この保持状態においては、第１の縦方向用支持部１２０及び第２の縦方向用支持部１２１は、ベースドア６０の裏面側であって、正面から見て表示領域７０ａが開口部６０ｅから臨む位置に、液晶表示装置７０を支持しているといえる。
【００６７】
また、作業者などが、上記の保持状態から、液晶表示装置７０を、レール部１２０ｂ、レール部１２１ｂに沿って上方から取り出すことができる。また、作業者などが、縦用第１ベースドア止め穴と、止め穴１２０ａとに挿入されたネジや、縦用第２ベースドア止め穴と、止め穴１２１ａとに挿入されたネジを取り出すことにより、第１の縦方向用支持部１２０や第２の縦方向用支持部１２１をベースドア６０から取り外すことができる。これにより、第１の縦方向用支持部１２０や第２の縦方向用支持部１２１は、ベースドア６０に着脱可能に取り付けられるといえる。
【００６８】
ここで、液晶表示装置７０が第１の縦方向用支持部１２０及び第２の縦方向用支持部１２１を介して、ベースドア６０に取り付けられている場合、第１の縦方向用支持部１２０の下方には、開口６３が形成される。この開口６３は、遊技盤３０などに配置された各種の部品（例えば、センサーなど）の配線を挿通させるものであり、又、第１ユニット部９０の前面方向に飛び出している凸部を収納するためのものである。
【００６９】
図１８は、液晶表示装置７０が第１の縦方向用支持部１２０及び第２の縦方向用支持部１２１を介して、ベースドア６０に取り付けられている様子を遊技機の正面上方から見た場合の図であり、図１９は、液晶表示装置７０が第１の縦方向用支持部１２０及び第２の縦方向用支持部１２１を介して、ベースドア６０に取り付けられている様子を遊技機の正面下方から見た場合の図である。
【００７０】
第２の縦方向用支持部１２１は、第２の縦方向用支持部１２１が、正面から見て、開口部６０ｅの領域のうち、表示領域７０ａと重ならない領域と重なるよう、ベースドア６０に取り付けられる。この際、第２の縦方向用支持部１２１は、表示領域７０ａと重ならない領域より大きい。具体的な説明は、以下の通りである。
【００７１】
第２の縦方向用支持部１２１は、第３領域よりも大きく形成されている。第３領域とは、液晶表示装置７０が第１の縦方向用支持部１２０及び第２の縦方向用支持部１２１を介して、ベースドア６０に取り付けられるときに、正面から見て、表示領域７０ａと重ならない開口部６０ｅの右側の領域（例えば、端辺ｙ１と，端辺ｘ１と、端辺ｘ３と、端辺ｙ３の下端と端辺ｙ２の上端とを結ぶ線とで囲まれる領域のうち、表示枠７０ｂと重ならない領域）のことである。
【００７２】
そして、第２の縦方向用支持部１２１は、第２の縦方向用支持部１２１が、第３領域と重なる位置に配置された状態で、上述したようにして、ネジにより、ベースドア６０の裏面側からベースドア６０に固定される。この固定状態では、遊技機１の正面から見て、第２の縦方向用支持部１２１は、第３領域を取り囲むようにして重なっている。    
この結果、第２の縦方向用支持部１２１は、第２の縦方向用支持部１２１が、正面から見て、開口部６０ｅの領域のうち、表示領域７０ａと重ならない領域（例えば、表示領域７０ａ及び表示枠７０ｂと重ならない領域）と重なるよう、ベースドア６０に取り付けられるといえる。
【００７３】
ここで、第１の縦方向用支持部１２０は、第１の縦方向用支持部１２０が、遊技機１の正面から見て、開口部６０ｅの領域のうち、表示領域７０ａと重ならない領域とだいたい重なるよう、ベースドア６０に取り付けられている。
【００７４】
なお、第１の縦方向用支持部１２０は、第１の縦方向用支持部１２０が、正面から見て、開口部６０ｅの領域のうち、表示領域７０ａと重ならない領域（例えば、表示領域７０ａ及び表示枠７０ｂと重ならない領域）と重なるよう、ベースドア６０に取り付けられていていてもよい。また、第１の縦方向用支持部１２０は、第４領域よりも大きく形成されていてもよい。第４領域とは、液晶表示装置７０が第１の縦方向用支持部１２０及び第２の縦方向用支持部１２１を介して、ベースドア６０に取り付けられるときに、正面から見て、表示領域７０ａと重ならない開口部６０ｅの左側の領域（即ち、端辺ｘ５と，端辺ｙ４と、端辺ｘ６と、端辺ｙ５と、端辺ｘ７と、端辺ｙ６と、端辺ｘ５の右端と端辺ｘ２の上端とを結ぶ線とで囲まれる領域のうち、表示枠７０ｂと重ならない領域）のことである。
【００７５】
（作用効果）
本実施の形態によれば、ベースドア６０の開口部６０ｅは、正面から見て表示領域７０ａの長手方向を横方向にした場合の表示領域（例えば、図６に示す配置の表示領域）以上の大きさの領域を有するので、表示領域７０ａの長手方向を横にして、液晶表示装置７０をベースドア６０の開口部６０ｅの裏面側に配置する場合、例えば、正面から見て表示領域７０ａの全てを開口部６０ｅと重ならせることができる。そして、横方向用支持部１１０は、ベースドア６０の裏面側であって、正面から見て表示領域７０ａが開口部６０ｅから臨む位置に、液晶表示装置７０を支持するので、表示領域７０ａの長手方向を横方向にして、液晶表示装置７０が遊技機に配置された場合、遊技者は、透明な部材で構成された遊技盤３０を介して、液晶表示装置７０の表示領域７０ａの全領域を視認することが可能となる。
【００７６】
また、ベースドア６０の開口部６０ｅは、正面から見て表示領域７０ａの長手方向を縦横方向にした場合の表示領域７０ａ（例えば、図４に示す配置の表示領域）以上の大きさの領域を有するので、表示領域７０ａの長手方向を縦にして、液晶表示装置７０をベースドア６０の開口部６０ｅの裏面側に配置する場合、例えば、正面から見て表示領域７０ａの全てを開口部６０ｅと重ならせることができる。そして、第１の縦方向用支持部１２０、第２の縦方向用支持部１２１は、ベースドア６０の裏面側であって、正面から見て表示領域７０ａが開口部６０ｅから臨む位置に、液晶表示装置７０を支持するので、表示領域７０ａの長手方向を縦方向にして、液晶表示装置７０が遊技機に配置された場合、遊技者は、透明な部材で構成された遊技盤３０を介して、液晶表示装置７０の表示領域７０ａの全領域を視認することが可能となる。
【００７７】
そして、横方向用支持部１１０、第１の縦方向用支持部１２０、第２の縦方向用支持部１２１は、ベースドア６０の裏面側からベースドア６０に着脱可能に取り付けられる。即ち、作業者などは、表示領域７０ａの長手方向を横方向にして、液晶表示装置７０を遊技機１に配置する場合には、第１の縦方向用支持部１２０、第２の縦方向用支持部１２１をベースドア６０から取りはずして、横方向用支持部１１０をベースドア６０に取り付けることができるとともに、表示領域７０ａの長手方向を縦方向にして、液晶表示装置７０を遊技機に配置する場合には、横方向用支持部１１０をベースドア６０から取り外して、第１の縦方向用支持部１２０、第２の縦方向用支持部１２１をベースドア６０に取り付けることができる。
【００７８】
この結果、長方形の表示領域７０ａを有する液晶表示装置７０を、表示領域７０ａの長手方向を横方向にして、液晶表示装置７０を遊技機に配置する場合、及び、表示領域７０ａの長手方向を縦方向にして、液晶表示装置７０を遊技機に配置する場合の双方に対応可能とすることができる。
【００７９】
また、横方向用支持上部１１０ｆ、横方向用支持下部１１０ｇ、第２の縦方向用支持部１２１は、開口部６０ｅの領域のうち、表示領域７０ａと重ならない領域と重なるように、ベースドア６０に取り付けられるので、遊技者は、開口部６０ｅを介して、遊技機の内部構造などを視認できてしまう事態が回避され、遊技者が遊技機の外観が美しくないと感じる事態を回避できる。
【００８０】
また、横方向用支持上部１１０ｆ、横方向用支持下部１１０ｇ、第２の縦方向用支持部１２１は、それぞれ、上述した第１領域、第２領域、第３領域より大きい。このため、横方向用支持部１１０や第２の縦方向用支持部１２１を介して、液晶表示装置７０がベースドア６０に取り付けられた場合、横方向用支持上部１１０ｆ、横方向用支持下部１１０ｇ、第２の縦方向用支持部１２１は、それぞれ、上述した第１領域、第２領域、第３領域を覆うように配置されることが可能なので、表示領域７０ａと重ならない開口部６０ｅの存在によるベースドア６０の機械的強度の低下を補強することになり、ベースドア６０の機械的強度が低下してしまう事態を回避できる。
【００８１】
また、横方向用支持部１１０、第１の縦方向用支持部１２０，第２の縦方向用支持部１２１には、第１ユニット部９０及び／又は第２ユニット部１００を取り付けるためのヒンジ凹部が設けられているので、第１ユニット部９０、第２ユニット部１００をベースドア６０に取り付けるための取り付け部材を別途新たに設ける必要がなくなり、遊技機１の構造の簡略化が図れる。
【００８２】
また、液晶表示装置７０は、ベースドア６０の裏面に取り付けられており、遊技盤３０は、ベースドア６０の前面に取り付けられている。従来では、遊技盤３０を交換するときには、正常動作が行える液晶表示装置７０も一緒に交換されていたので、遊技盤３０だけの交換に必要なコストが高くなってしまっていた。本実施形態では、液晶表示装置７０が、ベースドア６０の裏面に取り付けられたまま、遊技盤３０だけをベースドア６０から取り外すことができるので、遊技盤３０だけの交換に必要なコストを低減させることができる。
【００８３】
（変更例）
（１）上述の実施形態では、表示領域７０ａの長手方向を縦方向にした場合における液晶表示装置７０をベースドア６０の裏面に取り付けるための縦用支持部（第１の縦方向用支持部１２０及び第２の縦方向用支持部１２１）と、表示領域７０ａの長手方向を横方向にした場合における液晶表示装置７０をベースドア６０の裏面に取り付けるための横用支持部（横方向用支持部１１０）とは、異なるものであったが、これに限定されない。例えば、１つの共通の支持部が、上記の縦用支持部であるとともに、上記の横用支持部であるような形状であってもよい。そして、表示領域７０ａの長手方向を縦方向にした場合における液晶表示装置７０をベースドア６０の裏面に取り付ける場合、表示領域７０ａの長手方向を横方向にした場合における液晶表示装置７０をベースドア６０の裏面に取り付ける場合、ともに、上記の１つの共通の支持部が用いられるようにしてもよい。
【００８４】
（２）また、上述の実施形態では、液晶表示装置７０が収納された横方向用支持部１１０、第１の縦方向用支持部１２０、第２の縦方向用支持部１２１は、ネジにより、ベースドア６０の裏面に取り付けられていたが、これに限定されない。例えば、係止など他の固定方法により、液晶表示装置７０が収納された横方向用支持部１１０、第１の縦方向用支持部１２０、第２の縦方向用支持部１２１は、ベースドア６０の裏面に取り付けられてもよい。
【００８５】
（３）また、本実施形態では、第１の縦方向用支持部１２０、第２の縦方向用支持部１２１を介して、液晶表示装置７０がベースドア６０の裏面に取り付けられた場合や、横方向用支持部１１０を介して、液晶表示装置７０がベースドア６０の裏面に取り付けられた場合、正面から見て、開口部６０ｅからは、表示領域７０ａだけでなく表示枠７０ｂの一部が臨むようにされたが、これに限定されず、正面から見て、開口部６０ｅから表示領域７０ａだけが臨むようにされ、表示領域７０ａと重ならない開口部６０ｅの領域からは、表示枠７０ｂが臨まないようにしてもよい。
【００８６】
この場合、第１の縦方向用支持部１２０、第２の縦方向用支持部１２１は、正面から見て、開口部６０ｅの領域のうち、表示領域７０ａと重ならない領域と重なるよう、ベースドア６０に取り付けられてもよい。同じく、横方向用支持部１１０は、横方向用支持上部１１０ｆ、横方向用支持下部１１０ｇが、正面から見て、開口部６０ｅの領域のうち、表示領域７０ａと重ならない領域と重なるよう、ベースドア６０に取り付けられてもよい。
【００８７】
そして、第１の縦方向用支持部１２０、第２の縦方向用支持部１２１、横方向用支持上部１１０ｆ、横方向用支持下部１１０ｇは、開口部６０ｅの領域のうち、表示領域７０と重ならない領域より大きいようにしてもよい。
【００８８】
また、本実施形態では、横方向用支持部１１０を介して、液晶表示装置７０がベースドア６０の裏面に取り付けられた場合、横方向用支持上部１１０ｆ、横方向用支持下部１１０ｇが、開口部６０ｅの領域のうち、正面から見て、表示領域７０と重ならない領域と重なるような説明を行ったが、これに限定されず、横方向用支持部１１０の他の部分が、表示領域７０と重ならない領域と重なるようにしてもよい。この場合にも本発明の適用は可能である。また、液晶表示装置７０が収納された支持部を縦方向用支持部に用い、この縦方向用支持部が、上述した横方向用支持部１１０の場合と同様にして、ベースドア６０の裏面に取り付けられるようにしてもよい。
【００８９】
また、開口部６０ｅ、横方向用支持部１１０、横方向用支持上部１１０ｆ、横方向用支持下部１１０ｇ、第１の縦方向用支持部１２０，第２の縦方向用支持部１２１は、それぞれ、実施形態の形状に限定されず、本発明の目的を達成できるのであれば、他の形状であってもよい。
【００９０】
以上、本発明の実施形態やその変更例の一例を説明したが、具体例を例示したに過ぎず、特に本発明を限定するものではなく、各手段の具体的構成等は、適宜設計変更可能である。また、発明の実施の形態などに記載された作用及び効果は、本発明から生じる最も好適な作用及び効果を列挙したに過ぎず、本発明による作用及び効果は、本発明の実施の形態などに記載されたものに限定されるものではない。
【図面の簡単な説明】
【００９１】
【図１】本実施形態における遊技機の外観を示す図である。
【図２】本実施形態における遊技機の各部を分解した様子を示す分解図である。
【図３】本実施形態における遊技盤の正面図である。
【図４】本実施形態において、表示領域の長手方向を縦方向にした場合における液晶表示装置の配置態様を示す正面図である。
【図５】本実施形態において、表示領域の長手方向を縦方向にした場合における液晶表示装置の配置態様を示す裏面図である。
【図６】本実施形態において、表示領域の長手方向を横方向にした場合における液晶表示装置の配置態様を示す正面図である。
【図７】本実施形態において、表示領域の長手方向を横方向にした場合における液晶表示装置の配置態様を示す裏面図である。
【図８】本実施形態におけるベースドアの構成を示す正面図である。
【図９】本実施形態における横方向用支持部の構成を示す正面斜視図である。
【図１０】本実施形態における横方向用支持部の構成を示す裏面斜視図である。
【図１１】本実施形態における液晶表示装置が収納された場合における横方向用支持部及び液晶表示装置の構成を示す図である。
【図１２】本実施形態において、液晶表示装置が収納された横方向用支持部がベースドアに取り付けられた様子を示す裏面図である。
【図１３】本実施形態において、液晶表示装置が収納された横方向用支持部がベースドアに取り付けられた様子を示す正面斜視図である。
【図１４】本実施形態において、液晶表示装置が収納された横方向用支持部がベースドアに取り付けられた様子を示す正面斜視図である。
【図１５】本実施形態における第１の縦方向用支持部の構成を示す図である。
【図１６】本実施形態における第２の縦方向用支持部の構成を示す図である。
【図１７】本実施形態において、第１の縦方向用支持部及び第２の縦方向用支持部を介して、液晶表示装置がベースドアに取り付けられた様子を示す裏面図である。
【図１８】本実施形態において、第１の縦方向用支持部及び第２の縦方向用支持部を介して、液晶表示装置がベースドアに取り付けられた様子を示す正面斜視図である。
【図１９】本実施形態において、第１の縦方向用支持部及び第２の縦方向用支持部を介して、液晶表示装置がベースドアに取り付けられた様子を示す正面斜視図である。
【符号の説明】
【００９２】
１…遊技機、３…第１遊技球誘導部材、４…第２遊技球誘導部材、５…一般入賞口、６…始動口、７…アウト口、８…大入賞口、１０…ガラス枠、１１…前面ガラス、２０…皿部、３０…遊技盤、３０ａ…係止孔、３１…孔部、３２…遊技盤ベース、３３…遊技領域、３４…ガイドレール、４０…発射ユニット、４０ａ…発射ハンドル、５０…スピーカ、６０…ベースドア、６０ｃ、６０ｆ…ヒンジ凹部、６０ｄ…開口部、６０ｅ…開口部、６０ｇ、８０ａ…ヒンジ凸部、６１…留め部材、６１ａ…板部、６１ｂ…回転部、６３…開口、６４…保持部、７０…液晶表示装置、７０ａ…表示領域、７０ｂ…表示枠、７０ｃ…ネジ穴、８０…外枠、９０…第１ユニット部、１００…第２ユニット部、１１０…横方向用支持部、１１０ａ、１１０ｘ、１１０ｙ、１２０ａ、１２１ａ…止め穴、１１０ｄ…支持部、１１０ｆ…横方向用支持上部、１１０ｇ…横方向用支持下部、１１１…収納孔、１１２ａ，１１３ａ、１２０ｃ、１２１ｃ…ヒンジ凹部、１１４…固定部、１１５…インバータ基板、１２０…第１の縦方向用支持部、１２０ｂ、１２１ｂ…レール部、１２１…第２の縦方向用支持部、２１０…スペーサ。
【図１】
2005270138.tif 000003
【図２】
2005270138.tif 000004
【図３】
2005270138.tif 000005
【図４】
2005270138.tif 000006
【図５】
2005270138.tif 000007
【図６】
2005270138.tif 000008
【図７】
2005270138.tif 000009
【図８】
2005270138.tif 000010
【図９】
2005270138.tif 000011
【図１０】
2005270138.tif 000012
【図１１】
2005270138.tif 000013
【図１２】
2005270138.tif 000014
【図１３】
2005270138.tif 000015
【図１４】
2005270138.tif 000016
【図１５】
2005270138.tif 000017
【図１６】
2005270138.tif 000018
【図１７】
2005270138.tif 000019
【図１８】
2005270138.tif 000020
【図１９】
2005270138.tif 000021